(57)【要約】      （修正有）【課題】仕掛けを投入する際、浮きと天秤の枝を反対側に振り分けた状態で飛ばす事により絡みを防止する効果を得る天秤仕掛けの構造を提供する。【解決手段】天秤の本体１を、断面が扁平に、あるいは線材を平行に列設して幅を持たせ、これに着合する長穴を天秤の枝５の基部と、浮き１２の連結部品端部に設け、天秤の枝と浮きとが、本体を中心に回転する事なく両側方に向いて着設して、仕掛け投入時に枝の先までの長さに従い、ハリス１５を一定の間隔を保つようにすることで、ハリスの絡みを防止する。【選択図】図１
0003207817.tif 000002
【実用新案登録請求の範囲】
【請求項１】
断面を扁平に、あるいは線材を平行に列設して幅を持たせた本体１を設け、これに着合する枝５の基部に枝長穴５を設け、また浮きの方に、連結端子の端に浮き長穴１３を設けて各々を本体１に嵌合して、枝５と浮き１２が天秤本体に対し回転する事なく両測方向に振り分たけた状態で飛行する様に設けた、天秤仕掛けの構造。
【請求項２】
天秤本体１の道糸穴２より上に，線材を列設して幅を持たせた掛合端２１を設け、これに浮き１２の長穴部品１９の浮き長穴１３が着合して、本体１に対して回転する事無く、且、枝１の反対方向に掛合し、竿を振り込んだ時に、飛行する間のみ着合して、仕掛けの絡みを防止する事の出来る請求項１の天秤仕掛け。
【考案の詳細な説明】
【技術分野】
【０００１】  浮き釣りおいて、仕掛けを絡ませないで、より遠くへ投入する釣りに関わるものであ。
【背景技術】
【０００２】  浮き釣りにおいては、磯場や岸壁なぞで３０ｍ４０ｍ位いの比較的近い範囲での釣が行われて居る。砂浜の投げ釣りが１００ｍ以上も飛ばすのに比較すると数分の１である。
浮き釣りの場合、遠くに飛ばして釣るには、当たりを見る為により大きな浮きで、重みが必要となるが、大きな浮きほど仕掛けの絡みが多く成るため、投げ込みを加減せざるを得ない．
また大きな浮きは小さな当たりが分かり憎く鈍感である。
【考案の効果】
【０００３】  天秤の枝１と浮き１２とが、本体１に対して反対側に保持されている事により、ハリスがミチイトおよび浮き１２に絡む事を、より確実に防止する効果を得る。
【図面の簡単な説明】
【０００４】
【図１】  本考案の正面斜視図
【図２】  第２例で、竿に吊り下げた状態の正面図。
【図３】  天秤の枝が固定されている天秤に応用した例の正面図。
【図４】  取り付け部分が棒状の浮きに、浮環７を待つ着合部品２２をウキゴムで取り付けた状態示す正面図。
【実施の形態】
【０００５】  第１図は仕掛けが飛行している状態を示すもので、天秤本体１の上端に、道糸穴２が有り、下端に下環３が有りスナツプ１６が設けられて、オモリ１８又はコマセカゴが連結される。枝５には先端にハリス穴４があり、反対側には枝長穴６にて天秤本体１に着合する、浮き１２は、浮環７にてヨリトリスナツプ９に連結し、ヨリトリスナツプ９には端部に浮き長穴１３が設けられて，本体１に着合する。
枝長穴６と、浮き長穴１３は上下に移動可能で、且つ、本体１を中心に回転しない様に細長い形状で、浮き１２と天秤枝５が反対方向に突出する状態に保持されていて、通常はウキゴム１０によりオモリ１８側に保持される。仕掛け飛行時は、第１図の様に、空気の抵抗を受けて天秤枝５は本体１に対しほぼ直角に保持されて、ハリス１５を道糸１４や浮き１２に対して一定の間隔を保たせる事により、仕掛けの絡みを防ぐ事が出来る。この際は天秤と浮きは一体になっていて飛行する。
スナツプ１６にコマセカゴやオモリ１８の大きな物を装着すると、浮き１２は海底まで沈降し、この際天秤は直立した状態に保持され，オモリが浮きの浮力より小さい時は、浮き１２は水面に浮かぶ。あるいは浮き止め１１の位置調整により、必要とする棚に保持される。
【０００６】  第２図は，第２例を示すもので、天秤本体１の上部を延長して掛合端２１を設け、この掛合端２１に浮き長穴１３が掛けられていて、浮き１２が吊り下げられた状態で本体１に対して回転せず、枝５の反対に向きに掛けられている。
竿先から来た道糸は、浮き長穴１３を通り、次に道糸穴２を通りサルカン８に止まり、サルカン８の他端にはハリス１５が結びつけられていて、ハリスはハリス穴４を通り伸びていて、この状態で仕掛けは投入される。
第１図と同様の状態で飛行し、枝１は直角に突出て、道糸１４とハリス１５との間隔を保持される。
浮き５は、仕掛けが飛行時に、天秤を離れて、道糸１９上を誘導しつつ飛行し、浮き１２は海面に浮き、天秤と仕掛けは沈む。オモリの大きさを調整して立ち浮として使用される
【０００７】  第４図は、浮きの取り付端１７が棒状をした浮き１２を使用可能にするもので、着合部品２２に、ウキゴム２３にて着合された状態を示し。着合部品２２の端にはウキ環７が有り、これに浮きの長穴部品１９が取り付けられる事により、天秤本体１に着装又、掛合して使用される
【０００８】  第三図は。通常の天秤による実施例を示すもので、枝５は本体１に直角に突出て固定される。金属線を平行に並べて固定した本体１を設け、これにヨリトリスナツプ９の浮き長穴１３が着合するもので、長穴１３はウキゴム２０で枝の基部に固定される。ウキゴムを道糸穴２近くに移動すると、浮き１２は本体１上を移動出来て、仕掛けの飛行時において、オモリが重くて浮き１２が引かれて飛ぶときは道糸１９側に移動し、オモリが小さく、浮き１２自体の重みで押しつつ飛ぶ時は、枝５の方に移動して、天秤を押しつつ飛行する
【符号の説明】１  本体                      １４  道糸
２  道糸穴                    １５  ハリス
３  下環                      １６  スナツプ
４  ハリス穴                  １７  ウキ取合端
５  枝                        １８  オモリ
６  枝長穴                    １９  長穴端部
７  ウキ環
８  サルカン                  ２１  掛合端
９  ヨリトリスナツプ          ２２  ウキ着合部品
１０  ウキゴム
１１  ウキ止め
１２  浮き
１３  浮き長穴
【図１】
0003207817.tif 000003
【図２】
0003207817.tif 000004
【図３】
0003207817.tif 000005
【図４】
0003207817.tif 000006
【手続補正書】
【提出日】平成28年9月12日(2016.9.12)
【手続補正１】
【補正対象書類名】実用新案登録請求の範囲
【補正対象項目名】全文
【補正方法】変更
【補正の内容】
【実用新案登録請求の範囲】
【請求項１】
断面を扁平に、あるいは線材を平行に列設して幅を持たせた本体１を設け、これに着合する枝５の基部に枝長穴６を設け、また浮きの方に，連結端子の端に浮き長穴１３を設けて各々を本体１に嵌合して、枝５と浮き１２が天秤本体１に対し回転する事なく反対側に振り分けた状態で飛行する様に設けた，天秤仕掛けの構造。
【請求項２】
天秤本体１の道糸穴２より上に、線材を列設して幅を持たせた係合端２１を設け、これに浮き１２の長穴部品１９の浮き長穴１３が着合して、本体１に対して回転する事無く、且、枝５の反対方向に掛合し、竿を振り込んだ時に、飛行する間のみ着合して、仕掛けの絡みを防止する事の出来る［請求項１］の天秤仕掛けの構造。